(57)【要約】【課題】デジタル表示部により表示可能な最大値を超えた場合でも、既存のデジタル表示部を活用して容易に走行距離を認識させることが可能な走行距離表示装置を提供する。【解決手段】走行距離に比例した距離検出信号に基づいて積算値を求め表示素子１０に表示させる制御手段２０を備えており、制御手段２０は積算値が第１のデジタル表示部１０１で表示可能な最大値を超えるまで小数点表示部ＤＴと任意の第１及び第２のデジタル表示部１０１，１０２とを用いて積算値を少数表示させる第１の表示処理と、最大値を超えた後に小数点表示部ＤＴと任意の第１及び第２のデジタル表示部１０１，１０２とを用いて積算値をゼロから継続して少数表示させる第２の表示処理と、最大値を超えた後の積算値を第１及び第２のデジタル表示部１０１，１０２だけを用いて整数表示させる第３の表示処理とを実行する。【選択図】図２
2006145447.tif 000002
【特許請求の範囲】
【請求項１】
小数点表示部と、この小数点表示部の整数桁側に配置される第１のデジタル表示部と、前記小数位桁側に配置される第２のデジタル表示部とを有する表示手段と、
走行距離に比例した距離検出信号に基づいて積算値を求め前記表示手段に表示させる制御手段とを備え、
前記制御手段は前記積算値が前記第１のデジタル表示部で表示可能な最大値を超えるまで前記小数点表示部と任意の前記第１及び第２のデジタル表示部とを用いて前記積算値を少数表示させる第１の表示処理と、
前記積算値が前記最大値を超えた後に前記小数点表示部と任意の前記第１及び第２のデジタル表示部とを用いて前記積算値をゼロから継続して少数表示させる第２の表示処理と、
前記最大値を超えた後の前記積算値を前記第１及び第２のデジタル表示部だけを用いて整数表示させる第３の表示処理とを実行することを特徴とする走行距離表示装置。
【請求項２】
前記制御手段は所定条件を満たすとき、前記第３の表示処理を実行することを特徴とする請求項１記載の走行距離表示装置。
【請求項３】
前記制御手段は前記第３の表示処理に基づく整数表示を行うとき、前記積算値を上位桁から一桁ずつ表示させることを特徴とする請求項２記載の走行距離表示装置。
【請求項４】
前記所定条件が少なくとも前記最大値の超過に関する第１の条件と所定のスイッチの操作に基づく第２の条件の双方を含み、これら双方の条件を満たすとき、前記第３の処理を実行することを特徴とする請求項２記載の走行距離表示装置。
【請求項５】
前記所定条件が少なくとも前記最大値の超過に関する第１の条件と走行速度に基づく第２の条件の双方を含み、これら双方の条件を満たすとき、前記第３の処理を実行することを特徴とする請求項２記載の走行距離表示装置。
【請求項６】
前記制御手段は前記前記最大値を超過した後、前記第２の表示処理と前記第３の表示処理とを一定の順序で繰り返して実行することを特徴とする請求項１記載の走行距離表示装置。
【請求項７】
前記第３の表示処理の時間が前記第２の表示処理の時間に対して短く設定されていることを特徴とする請求項６記載の走行距離表示装置。
【発明の詳細な説明】
【技術分野】
【０００１】
本発明は、例えば自動車やオートバイをはじめとする車両に搭載され、液晶表示パネル、蛍光表示管、発光ダイオード表示器、エレクトロルミネッセンスパネル等の表示素子を用いて走行距離を表示する電子式の走行距離表示装置に関する。
【背景技術】
【０００２】
この種の走行距離表示装置として、例えば下記特許文献１記載のものが知られている。この走行距離表示装置は、液晶パネルからなる表示素子と、走行距離に比例した距離検出信号（パルス信号）に基づいて積算値を求め、表示素子に表示させる制御用ＩＣまたはマイクロコンピュータからなる制御手段とを具備している。表示素子は、予め設定された桁数分のデジタル表示部（バー形セグメントを略「日」の字形に組み合わせて構成される）と、表示されている積算値の種別を示す「ＴＲＩＰ」、「ＯＤＯ」なる文字表示部（文字形セグメントにて構成される）とを有している。デジタル表示部は、小数点表示部と、この小数点表示部の整数桁側に配置される整数桁表示部と、小数位桁側に配置される少数桁表示部を備えており、制御手段は積算値がデジタル表示部により表示可能な最大値（「９９９９９．９」ｋｍ）を超えたとき、すなわち積算値がオーバーフローしたとき、積算値を再びゼロから継続して積算処理しデジタル表示部に表示させると共に、文字表示部を点滅させることにより表示桁数（すなわちデジタル表示部の数）を増やすことなく、オーバーフロー後における実際の積算値を把握可能に設けている。
【特許文献１】特開平１１−１１８５０９号公報
【発明の開示】
【発明が解決しようとする課題】
【０００３】
ところで、前記公報記載の走行距離表示装置は、文字表示部を点滅させることにより、上位桁値の存在を知らせるものであるが、点滅を通じて上位桁の存在を間接的に表示する手法に過ぎないため、利用者が上位桁の存在を認識するには、文字表示部が点滅する意味を理解している必要があり、誰もが容易に上位桁の存在を認識できるわけではなく、利用者によっては、点滅に不自然さを感じることが想定される。
そこで本発明は、前述の課題に対処するため、デジタル表示部により表示可能な最大値を超えた場合でも、既存のデジタル表示部を活用して容易に走行距離を認識させることが可能な走行距離表示装置の提供を目的とするものである。
【課題を解決するための手段】
【０００４】
本発明は、前記目的を達成するため、小数点表示部と、この小数点表示部の整数桁側に配置される第１のデジタル表示部と、前記小数位桁側に配置される第２のデジタル表示部とを有する表示手段と、走行距離に比例した距離検出信号に基づいて積算値を求め前記表示手段に表示させる制御手段とを備え、前記制御手段は前記積算値が前記第１のデジタル表示部で表示可能な最大値を超えるまで前記小数点表示部と任意の前記第１及び第２のデジタル表示部とを用いて前記積算値を少数表示させる第１の表示処理と、前記最大値を超えた後に前記小数点表示部と任意の前記第１及び第２のデジタル表示部とを用いて前記積算値をゼロから継続して少数表示させる第２の表示処理と、前記最大値を超えた後の前記積算値を前記第１及び第２のデジタル表示部だけを用いて整数表示させる第３の表示処理とを実行することを特徴とする。
【０００５】
また本発明は、前記制御手段は所定条件を満たすとき、前記第３の表示処理を実行することを特徴とする。
【０００６】
また本発明は、前記制御手段は前記第３の表示処理に基づく整数表示を行うとき、前記積算値を上位桁から一桁ずつ表示させることを特徴とする。
【０００７】
また本発明は、前記所定条件が少なくとも前記最大値の超過に関する第１の条件と所定のスイッチの操作に基づく第２の条件の双方を含み、これら双方の条件を満たすとき、前記第３の処理を実行することを特徴とする
【０００８】
また本発明は、前記所定条件が少なくとも前記最大値の超過に関する第１の条件と走行速度に基づく第２の条件の双方を含み、これら双方の条件を満たすとき、前記第３の処理を実行することを特徴とする。
【０００９】
また本発明は、前記制御手段は前記前記最大値を超過した後、前記第２の表示処理と前記第３の表示処理とを一定の順序で繰り返して実行することを特徴とする。
【００１０】
また本発明は、前記第３の表示処理の時間が前記第２の表示処理の時間に対して短く設定されていることを特徴とする。
【発明の効果】
【００１１】
本発明によれば、初期の目的を達成でき、デジタル表示部により表示可能な最大値を超えた場合でも、既存のデジタル表示部を活用して容易に走行距離を認識させることが可能な走行距離表示装置を提供することができる。
【発明を実施するための最良の形態】
【００１２】
以下、図面に基づいて本発明による走行距離表示装置を車両用のコンビネーションメータに適用した場合を例として実施形態を説明する。
図１から図５は、本発明の第１の実施形態を示すもので、図１は本実施形態による走行距離表示装置を組み込んだコンビネーションメータの正面図、図２は同実施形態における走行距離表示装置のシステム構成を示すブロック図、図３及び図４は同実施形態における走行距離表示装置の動作を示すタイミング図、図５（ａ）〜（ｄ）は同実施形態における走行距離表示装置の表示例を示す正面図である。
【００１３】
図１において走行距離表示装置１は、指針ＰＴと目盛板ＰＬとで構成される速度計ＳＰの中央下方に設置されており、当該図面上では走行距離表示装置１の一部となる後述する表示素子が目盛板ＰＬの開口窓ＷＤから観察者側に露出するように車両用コンビネーションメータに搭載されている。
【００１４】
図２において走行距離表示装置１は、例えば周知な液晶表示パネルからなる表示素子（表示手段）１０と、この表示素子１０に積算値を表示させる例えばマイクロコンピュータからなる制御手段２０とを備えている。なお表示素子１０は、液晶表示パネルに替えて、蛍光表示管、発光ダイオード表示器、エレクトロルミネッセンスパネル等の表示素子を用いてもよく、また制御手段２０は所要回路を集積させた制御用ＩＣで構成してもよい。
【００１５】
表示素子１０は、小数点表示部ＤＴと、この小数点表示部ＤＴの整数桁側に配置される５桁からなる第１のデジタル表示部１０１と、小数位桁側に配置される１桁からなる第２のデジタル表示部１０２とで構成され、小数点表示部ＤＴを含めて最大で「９９９９９．９（ｋｍ）」まで走行距離（本例ではトータル積算値）をデジタル表示可能なる数値表示部１０３と、単位を示す単位表示部１０４とを有している。
【００１６】
数値表示部１０３は、周知のセグメント表示部からなり、第１，第２のデジタル表示部１０１，１０２は、例えばバー形セグメント（表示区分）を略「日」の字形に組み合わせて構成される。そして図２上では全てのセグメントが点灯（表示）され、「８８８８８．８」のように表示されているが、各セグメントの点滅状態（表示・非表示状態）を電気的に制御することにより、一つのデジタル表示部１０１で「０」〜「９」までの数値を表示できるようにしてある。なお積算値がその桁に満たない未満桁となるデジタル表示部１０１には、「０」を表示してもよいし、無表示としてもよい。
【００１７】
単位表示部１０４は、例えば液晶表示パネルからなる表示素子１０を構成する図示しないガラス基板の内面に印刷された文字でなり、常時表示されるものである。なお単位表示部１０４は、必ずしも表示素子１０に設けなくてもよく、文字板ＰＬに設けてもよい。
【００１８】
なお本実施形態では、数値表示部１０３をセグメントにて構成したが、ドット形区分（画素）により構成してもよい。
【００１９】
制御手段２０は、走行距離表示装置１の動作を制御するＣＰＵ（中央演算処理装置）２０１と、走行距離表示装置１の動作に必要なデータを記憶する記憶部２０２とを有する。ＣＰＵ２０１は、後述する車速センサ（距離検出手段）から入力する走行距離に比例したパルス信号（距離検出信号）を演算処理して積算値を求める算出処理と、算出処理にて求めた積算値を表示素子１０に表示させる表示処理とを予め記憶部２０２（後述のＲＯＭ）に記憶してあるプログラムに基づいて実行する。記憶部２０２は読み書き可能な一時記憶部（ＲＡＭ）と、読み出し専用のデータ記憶部（ＲＯＭ）と、読み書き可能な不揮発性記憶部（ＥＥＰＲＯＭ）等を含んでいる。
【００２０】
ＣＰＵ２０１による積算値の算出処理は、後述する車速センサによって検出したパルス信号から単位時間あたりの走行距離データを記憶部２０２（前記積算データ記憶部）に基づいて算出し、その走行距離データに記憶部２０２（前記一時記憶部）で記憶している積算距離データを加算して最新の積算値データを求め、この積算値データが単位走行距離（例えば０．１ｋｍ）に達する毎に記憶部２０２（前記不揮発性記憶部）に書き込んで記憶内容を更新するもので、ＣＰＵ２０１による積算値の表示処理は、記憶部２０２に保持されている最新の積算値データを表示素子１０に表示させるものである。
【００２１】
なお単位走行距離に満たない積算値データは、後述するイグニッションスイッチのオン、オフ時共に前記一時記憶部に保持してもよいし、前記イグニッションスイッチのオフ時のみ前記不揮発性記憶部で保持してもよい。
【００２２】
また本例の場合、制御手段２０が前記イグニッションスイッチの状態とは無関係に常時、車載バッテリからの給電を受けている構成であるので、前記不揮発性記憶部ではなく前記一時記憶部でのテータ保持が可能である。
【００２３】
制御手段２０の入力側には、車速センサ２の他、バッテリラインを通してバッテリ３が、イグニッションスイッチラインを通してイグニッションスイッチ（所定のスイッチ）４がそれぞれ接続されている。一方、制御手段２０の出力側には、表示素子１０が接続されている。なお本実施形態ではイグニッションスイッチとしたが、キースイッチや始動スイッチ、あるいは電源スイッチであってもよい。
【００２４】
車速センサ２は、走行距離に比例したパルス信号を出力する回転センサ（距離検出手段）からなる。
【００２５】
イグニッションスイッチ４は、実際はＯＦＦ端子、ＡＣＣ端子、ＯＮ端子、ＳＴＡＲＴ端子を有するが、図２では簡略化されて示されている。なお本実施形態でいうイグニッションスイッチ４のオン状態とは、図示しないキースイッチがＯＮ端子位置（エンジンスタート後）にあるときを指す。
【００２６】
バッテリ３は、イグニッションスイッチ４の状態とは関係なく、バッテリラインを介して常時、制御手段２０に接続され、イグニッションスイッチ４のオフ時（ＯＦＦ端子位置）、ＣＰＵ２０１は省電力モードで作動し、イグニッションスイッチ４のオン（ＡＣＣ端子またはＳＴＡＲＴ端子位置）で通常モードで作動するようになっている。なお、バッテリ３と制御手段２０とはイグニッションスイッチ４を介して接続してもよい。
【００２７】
次に図３〜図５に基づいて、本実施形態による走行距離表示装置の動作を説明する。なお図３及び図４中、５−ａ、５−ｂ、５−ｃ、５−ｄは、図５の（ａ）、（ｂ）、（ｃ）、（ｄ）のそれぞれに対応するものであるが、図５は表示例に過ぎず、特に図５（ｂ）〜（ｄ）において実際の積算値は時間の経過に従って変化している。
【００２８】
まず、制御手段２０は、図３において、時刻ｔ１にてイグニッションスイッチ４がオンされると、表示素子１０にて表示可能な表示部、すなわち、数値表示部１０３と単位表示部１０４と全ての表示を一定期間（例えば２．５秒）表示状態とする表示初期チェック表示処理を行う（図５（ａ）参照）。
【００２９】
これが終了すると、制御手段２０は、時刻ｔ２にて、記憶部２０２から記憶されている最新の積算値データと後述するオーバーフロー履歴（データ）を読み出し、オーバーフロー履歴の有無に応じた表示処理を行う。ここではオーバーフロー履歴「無」との判定であったため、判定結果としてオーバーフロー「無」状態が継続していると共に、制御手段２０は履歴「無」との判定結果に基づいてオーバーフロー前の積算値（ここでは実際の積算値）を数値表示部１０３（小数点表示部ＤＴと第１及び第２のデジタル表示部１０１，１０２）に例えば「１２３４５．６ｋｍ」（図５（ｂ）参照）のように小数表示させる処理（第１の表示処理）を実行する。
【００３０】
ここでオーバーフローについて説明する。本実施形態において、小数点表示部ＤＴを含んで数値表示部１０３でデジタル表示可能な値は、「０．０ｋｍ」〜「９９９９９．９ｋｍ」までであり、最大値（「９９９９９．９ｋｍ」）を超えた（オーバーフローした）場合、それ以上の値（実際の積算値）を小数表示することは不可能となる。しかしそれでは不都合が生じるため、「９９９９９．９ｋｍ」の次は「０．０ｋｍ」に更新し、その後「０．１ｋｍ」毎に更新（加算）することにより、最小表示桁から再び積算値を表示（ゼロから継続または繰り返して表示）できるようになっている。そして、このように「９９９９９．９ｋｍ」から「０．０ｋｍ」に更新（オーバーフロー）されたとき、制御手段２０はオーバーフロー履歴「有」として記憶部２０２に記憶する。なおオーバーフロー後の小数表示は、実際の積算値よりも最大で一桁少ない値として、制御手段２０により数値表示部１０３（小数点表示部ＤＴ及び第１及び第２のデジタル表示部１０１，１０２）を用いて表示処理（第２の表示処理）されるが、詳しくは後述する。
【００３１】
図４はオーバーフロー履歴「有」の場合を示すもので、実際の積算値が「１２３４５６．７」であった場合を例に説明する。
すなわち、時刻ｔ１において、イグニッションスイッチ４がオンされると、一定期間、表示初期チェック表示処理を行い（図５（ａ）参照）、その後、時刻ｔ２にて、記憶部２０２から記憶されている最新の積算値データと後述するオーバーフロー履歴を読み出し、オーバーフロー履歴の有無に応じた表示処理を行う点は図３と同様であるが、実際の積算値（表示されない）が前記の通り「１２３４５６．７ｋｍ」であるので、記憶部２０２にはオーバーフロー履歴「有」が記憶されている。このため制御手段２０は、オーバーフロー履歴「有」と判定し、図５（ｃ）に示す通り、小数点表示部ＤＴは用いずに（非表示とし）第１及び第２のデジタル表示部１０１，１０２だけを用いて「１２３４５６ｋｍ」のように整数表示させる第３の表示処理を実行する。この場合、実際の積算値「１２３４５６．７ｋｍ」のうち、小数点以下の桁（「０．７ｋｍ」）は省略される。
【００３２】
そして、第３の表示処理に基づく整数表示は、時刻ｔ２から時刻ｔ３までの所定期間（例えば１秒間）にわたって表示され、その後は、図５（ｄ）に示す通り、小数点表示部ＤＴ及び第１，第２のデジタル表示部１０１，１０２を用いて「２３４５６．７」のように小数表示される（第２の表示処理）。この場合、実際の積算値「１２３４５６．７ｋｍ」のうち、最大桁（１０万桁）の「１」は省略される。
【００３３】
以上の通り、本実施形態では、小数点表示部ＤＴと、この小数点表示部ＤＴの整数桁側に配置される第１のデジタル表示部１０１と、小数位桁側に配置される第２のデジタル表示部１０２とを有する表示素子（表示手段）１０と、走行距離に比例した距離検出信号に基づいて積算値を求め表示素子１０に表示させる制御手段２０とを備え、制御手段２０は積算値が第１のデジタル表示部１０１で表示可能な最大値を超えるまで小数点表示部ＤＴと任意の第１及び第２のデジタル表示部１０１，１０２とを用いて積算値を少数表示させる第１の表示処理と、最大値を超えた後に小数点表示部ＤＴと任意の第１及び第２のデジタル表示部１０１，１０２とを用いて積算値をゼロから継続して少数表示させる第２の表示処理と、最大値を超えた後の積算値を第１及び第２のデジタル表示部１０１，１０２だけを用いて整数表示させる第３の表示処理とを実行することにより、デジタル表示部により表示可能な最大値を超えた場合でも、既存のデジタル表示部を活用して容易に走行距離を利用者に認識させることができる。すなわち、オーバーフロー後の積算値を既存のデジタル表示部を活用して数値表示できるので、認識性を向上させることができる。
【００３４】
また本実施形態では、制御手段２０が所定条件（図４参照）、すなわち第１のデジタル表示部１０１で表示可能な最大値の超過（制御手段２０によるオーバーフロー判定の結果）に関する第１の条件と、イグニションスイッチ（所定のスイッチ）４の操作（オン操作をトリガとして初期チェック表示が終了するまで所定時間経過したか否か）に基づく第２の条件の双方を満たすとき（本実施例の場合、オーバーフロー判定の結果が「有」で且つイグニッションスイッチ４の操作（時刻ｔ１）から時刻ｔ２経過したとき）、第３の表示処理、すなわちオーバーフロー後の整数表示を一定期間（１秒間）実行し、その後は、第２の表示処理に切り替えるようにしている。
【００３５】
このように所定条件を満たすときに第３の表示処理に基づく整数表示を行うことにより、第２の表示処理に基づく小数表示との併用表示が可能となり、これにより整数表示による実積算距離の認識と小数表示による小数点以下値の認識を両立させることができる。
【００３６】
特に本実施形態では、所定条件を第１のデジタル表示部１０１で表示可能な最大値の超過に関する第１の条件と、イグニッションスイッチ４の操作に基づく第２の条件とし、これら双方の条件を満たすとき、第３の表示処理を行うようにしたことにより、例えば専用の操作部材を操作したり、あるいは既存の操作部材を特殊操作することなく、第３の表示処理が実行でき、利用者の煩わしさを軽減させ、利便性を向上させることができる。
【００３７】
なお本実施形態では第１の条件として、イグニッションスイッチ４のオン操作から所定時間経過するまでの時間を設定したが、イグニッションスイッチ４のオン操作を第１の条件としてもよい。
【００３８】
また本実施形態では、第１の条件として、イグニッションスイッチ４の操作に関する条件を設定したが、利用者の煩わしさの軽減や利便性を向上までをも追求しないのであれば、例えばイグニッションスイッチ４や図示しない他のスイッチを特殊操作したり、専用スイッチを操作することで、第３の表示処理が実行されるように構成してもよい。
【００３９】
図６（ａ）〜（ｃ）は、本発明の第２の実施形態として、第３の表示処理の変形例を示す正面図であり、基本動作は前記第１の実施形態と同じであるため、前記第１の実施形態と異なる点を説明する。
【００４０】
すなわち、前記第１の実施形態では、所定条件を充足すると（図４参照）、直ちに第３の表示処理に基づく整数表示を行ったが、本実施形態では、所定条件を充足したとき、図６（ｂ）に示すように、積算値を上位桁から一桁ずつ表示させるものである。なお図６（ａ）〜（ｃ）は時系列的な表示の変遷を示すもので、図６（ａ）は図５（ａ）と同様の初期チェック表示を示し、図６（ｂ）は整数表示の変遷を示し、図６（ｃ）は図５（ｄ）と同様の第２の表示処理を示すものである。
【００４１】
以上に本実施形態では、所定条件を充足したとき、積算値を上位桁から一桁ずつ表示させることにより、第２の表示処理に基づく小数表示との差別化を図ることができ、第３の表示処理の識別性を向上させることができる。また上位桁から一桁ずつ表示させた後、第２の表示処理に基づく小数表示に切り替わることにより、第３の表示処理から第２の表示処理への変化の識別性を向上させることができる。
【００４２】
図７〜図９は、本発明の第３の実施形態を示すもので、図７及び図８は本実施形態の走行距離表示装置の動作を示すタイミング図、図９は本実施形態の表示例を示す正面図である。なお図７及び図８中、５−ａ、９−ａ、９−ｂ、９−ｃ、９−ｄ、９−ｅは、図５の（ａ）並びに図９の（ａ）、（ｄ）、（ｃ）、（ｄ）のそれぞれに対応するものであるが、図５及び図９は表示例に過ぎず、特に図９（ａ）〜（ｄ）において実際の積算値は時間の経過に従って変化している。
【００４３】
本実施形態では第３の表示処理に基づく整数表示が、所定条件として、第１のデジタル表示部１０１で表示可能な最大値の超過（制御手段２０によるオーバーフロー検出またはオーバーフロー判定の結果）に関する第１の条件と、車両の走行・停車状態（制御手段２０による走行速度検出結果）に関する第２の条件の双方を満たすときに実行される例を示すものである。
【００４４】
図７において、制御手段２０は、時刻ｔ１において、イグニッションスイッチ４がオンされると、一定期間、表示初期チェック表示処理を行い（図５（ａ）参照）、その後、時刻ｔ２にて、記憶部２０２から記憶されている最新の積算値データとオーバーフロー履歴を読み出し、オーバーフロー履歴の有無に応じた表示処理を行う点は、第１の実施形態と同様であり、ここではオーバーフロー履歴「無」との判定であったため、判定結果としてオーバーフロー「無」状態が継続していると共に、制御手段２０は履歴「無」との判定結果に基づいて、オーバーフロー前の積算値（ここでは実際の積算値）を例えば「９９９９８．３ｋｍ」（図９（ａ）参照）のように小数表示させる処理（第１の表示処理）を実行する。
【００４５】
時刻ｔ２の後、時刻ｔ３をもって車両が発進し、車両が走行状態となり、時刻ｔ４において、走行距離がオーバーフローしたものとする。この変化は、制御手段２０によって検出されると共にその検出結果がオーバーフロー履歴（「有」）として記憶部２０２に記憶される。
【００４６】
オーバーフロー検出（時刻ｔ４）以降、制御手段２０は、「２．７ｋｍ」（図９（ｂ）参照）のように、第２の表示処理に基づく小数表示を行うが、これは、オーバーフローに関する第１の条件と、走行速度に関する第２の条件とでなる所定条件のうち、前記第１の条件は充足する（制御手段２０によるオーバーフロー検出）が、前記第２の条件は充足しないことに基づくものである。
【００４７】
ここで第２の条件について説明する。本実施形態で採用されている第２の条件とは、前記のように車両の走行・停車状態に関するものであるが、車両の走行速度（車速センサ２からのパルス信号）に基づいて判断される。すなわち、制御手段２０は、入力するパルス信号から走行速度が例えば５ｋｍ／ｈ以下のとき停車状態と判断し、走行速度が５ｋｍ／ｈより大きいとき走行状態と判断するものである。この場合、車両が停車状態（５ｋｍ／ｈ以下）にあるときに第１の条件を充足したものと判断し、第１の条件（オーバーフロー「有」）の充足状況（結果）に応じて、第２の表示処理に基づく小数表示を行うか、第３の表示処理に基づく整数表示を行うかが決定される。
【００４８】
具体的には、時刻ｔ４においては、オーバーフロー検出において、オーバーフロー「有」が検出されたため、第１の条件を充足するが、走行速度が５ｋｍ／ｈより大きい（例えば４０ｋｍ／ｈ）ため、第２の条件は充足しないこととなり、第２の表示処理に基づく小数表示が継続される。一方、走行速度が５ｋｍ／ｈ以下となる時刻ｔ５からイグニッションスイッチがオフ状態となる時刻ｔ６までは停車状態と判定され、制御手段２０は第３の表示処理に基づく整数表示として、図９（ｃ）のように「１００００５ｋｍ」（実際の走行距離が例えば「１００００５．２ｋｍ」の場合）と表示させる。
【００４９】
次に図８に基づいて、再びイグニッションスイッチ４がオンされた後の動作を説明する。時刻ｔ１において、再びイグニッションスイッチ４がオンされると、一定期間、表示初期チェック表示処理を行い（図５（ａ）参照）、その後、時刻ｔ２にて、記憶部２０２から記憶されている最新の積算値データとオーバーフロー履歴を読み出し、オーバーフロー履歴の「有無」を判定する。ここでは、記憶部２０２には、図７の時刻ｔ４時のオーバーフロー検出に基づいてオーバーフロー「有」とのデータが記憶されているので、判定結果は「有」となり、走行速度も「０ｋｍ／ｈ」で停車状態であるため、所定条件が充足されることとなり、第３の表示処理の基づく整数表示が行われる（表示例は図９（ｃ）参照）。なお時刻ｔ２にてオーバーフロー判定の結果が「有」の場合、それ以後の処理では、図７の時刻ｔ４時のごときオーバーフロー検出が行わない。
【００５０】
時刻ｔ２の経過後、車両は走行状態となり、時刻ｔ３にて、走行速度が５ｋｍ／ｈより大きく走行状態となると、第２の条件（所定条件）を充足しなくなるので、「１００００５ｋｍ」（図９（ｃ）参照）のごとき第３の表示処理に基づく整数表示から、「５．２ｋｍ」（図９（ｂ）参照）のごとき第２の表示処理に基づく小数表示に切り替わる。そして時刻ｔ４にて再び走行速度が５ｋｍ／ｈ以下の停車状態となると、第２の条件（所定条件）を充足することになるので、制御手段２０は、第２の表示処理から、図９（ｄ）のように「１０００１２ｋｍ」（実際の走行距離が例えば「１０００１２．８ｋｍ」の場合）と表示させる第３の表示処理に切り替える。
【００５１】
以上のごとく構成した本実施形態によっても前記第１の実施形態と同様の効果を得ることができる。なお本実施形態では、停車時に第３の表示処理を行い、走行時に第２の表示処理を行うようにしたが、停車時に第２の表示処理を行い、走行時に第３の表示処理を行うようにしてもよい。特に本実施形態のように、停車時に第３の表示処理を行うことにより、積算距離が変化しないか、または更新周期が遅い停車時に一桁多い実際の積算値を整数表示し、積算距離の更新周期が速い走行時に詳細な積算値を小数表示でき、利用者にとって車両状況に即した表示となすことができる。
【００５２】
なお本発明の第４の実施形態として図示しないが、例えば、所定条件として、前記第１の条件（オーバーフローの有無）に相当する単一の条件を設定し、オーバーフロー「有」のとき、他の条件の如何によらず、第２の表示処理に基づく小数表示と第３の表示処理に基づく整数表示とを一定時間間隔（例えば第２の表示処理に基づく小数表示を１分間、第３の表示処理に基づく整数表示を５秒間）で繰り返して実行するように設定してもよい。  
【００５３】
以上のごとく構成した本実施形態によっても前記第１の実施形態と同様の効果を得ることができる。特に本実施形態のように、第３の表示処理を（第２の表示処理よりも）短く、第２の表示処理を（第３の表示処理）よりも長く設定することにより小数表示による詳細な積算値表示を長くでき、第２の表示処理を基本とし、第３の表示処理を付随的に表示することで、利用者の使い勝手を向上させることができる。
【図面の簡単な説明】
【００５４】
【図１】本実施形態の第１の実施形態による走行距離表示装置を組み込んだコンビネーションメータの正面図。
【図２】同実施形態における走行距離表示装置のシステム構成を示すブロック図。
【図３】同実施形態における走行距離表示装置の動作を示すタイミング図。
【図４】同じく同実施形態における走行距離表示装置の動作を示すタイミング図。
【図５】（ａ）〜（ｄ）は何れも同実施形態における走行距離表示装置の表示例を示す正面図。
【図６】（ａ）〜（ｃ）は何れも本発明の第２の実施形態による表示例を示す正面図。
【図７】本発明の第３の実施形態による走行距離表示装置の動作を示すタイミング図。
【図８】同じく本発明の第３の実施形態による走行距離表示装置の動作を示すタイミング図。
【図９】、図９は本実施形態の表示例を示す正面図。
【符号の説明】
【００５５】
１  走行距離表示装置
２  車速センサ
３  バッテリ
４  イグニッションスイッチ
１０  表示素子
２０  制御手段
１０１  第１のデジタル表示部
１０２  第２のデジタル表示部
１０３  数値表示部
１０４  単位表示部
２０１  ＣＰＵ
２０２  記憶部
ＰＴ  指針
ＰＬ  目盛板
ＳＰ  速度計
ｔ１〜ｔ５  時刻
ＴＨ  貫通孔
ＷＤ  開口窓
【図１】
2006145447.tif 000003
【図２】
2006145447.tif 000004
【図３】
2006145447.tif 000005
【図４】
2006145447.tif 000006
【図５】
2006145447.tif 000007
【図６】
2006145447.tif 000008
【図７】
2006145447.tif 000009
【図８】
2006145447.tif 000010
【図９】
2006145447.tif 000011